(57)【要約】【課題】  起風部２４を有したブレート形回転刈り刃を備えるものでありながら、発生風に起因した切断不良が発生したままになりにくい草刈り機用の刈り刃装置を提供する。【解決手段】  先行回転刈り刃２２と後行回転刈り刃２７を一体回転自在に備えてある。後行回転刈り刃２７の刃先２８ａが、先行回転刈り刃２２の起風部２４の下方の起風部２４の後端２４ａよりも刈り刃回転方向前側に位置している。【選択図】        図２
2006262755.tif 000002
【特許請求の範囲】
【請求項１】
起風部を備えたブレード形の先行回転刈り刃と、前記先行回転刈り刃の回転方向後側に位置する後行回転刈り刃とを一体回転自在に備え、前記後行回転刈り刃の刃先が、刈り刃回転軸芯に直交する方向視において、前記先行回転刈り刃の前記起風部の下方の前記起風部の後端よりも刈り刃回転方向前側に位置している草刈り機用の刈り刃装置。
【発明の詳細な説明】
【技術分野】
【０００１】
本発明は、ブレード形の回転刈り刃を備えた草刈り機用の刈り刃装置に関する。
【背景技術】
【０００２】
上記の刈り刃装置において、従来、たとえば特許文献１に示されるように、blade１４，１５に、bent  portion２３やlift  portion３２，３３（図中は３４）を設け、bent  portion２３、lift  portion３２，３４（起風部に相当）によって風を発生させながら草や芝の刈り込み処理を行なうことが可能になったものがあった。
【０００３】
【特許文献１】ＵＳＰ５，１０９，６５６（第３，４欄、図１）
【発明の開示】
【発明が解決しようとする課題】
【０００４】
図４に示すように、起風部２４は、回転刈り刃２２のエッジの回転方向後側に回転刈り刃２２から立ち上がる状態で設けられる。これにより、回転刈り刃２２の回転によって発生する風の一部は、回転刈り刃２２の前側から回転刈り刃２２の下方を通って起風部２４の後側に至り、起風部２４の後側を上昇するように流動する。
このため、従来の起風タイプの刈り刃装置を採用した場合、回転刈り刃が切断しようとする草や芝に、回転刈り刃の前側を下降向きに流動する下降風ａ（図４参照）のために倒れ気味になったものが発生し、切断漏れとなった草や芝が発生したり、切断後に起立して他のものよりも高く突出する状態になった草や芝が発生したりすることがあった。
【０００５】
本発明の目的は、起風部を備えるものでありながら、上記した切断不良が発生したままになりにくい草刈り機用の刈り刃装置を提供することにある。
【課題を解決するための手段】
【０００６】
本第１発明による草刈り機用の刈り刃装置にあっては、起風部を備えたブレード形の先行回転刈り刃と、前記先行回転刈り刃の回転方向後側に位置する後行回転刈り刃とを一体回転自在に備え、前記後行回転刈り刃の刃先が、刈り刃回転軸芯に直交する方向視において、前記先行回転刈り刃の前記起風部の下方の前記起風部の後端よりも刈り刃回転方向前側に位置している。
【０００７】
すなわち、先行回転刈り刃の起風部が先行回転刈り刃と共に回転して風を発生させる。この風の一部が先行回転刈り刃の前側から先行回転刈り刃の下方を通って起風部の後側に至るように流動し、先行回転刈り刃の前側を下降向きに流動する下降風による影響が先行回転刈り刃によって切断処理される草や芝に及ぶことになっても、後行回転刈り刃が先行回転刈り刃と一体回転していて先行回転刈り刃からの草や芝に切断作用する。このとき、先行回転刈り刃からの草や芝は、先行回転刈り刃の下側から起風部の後側に至って上昇流動する上昇風のために起立状態になっており、かつ、後行回転刈り刃の刃先が先行回転刈り刃の起風部の下方の起風部の後端よりも刈り刃回転方向前側に位置していることから、後行回転刈り刃は、起立状態にある草や芝に作用して、先行回転刈り刃による刈高さの不揃いや切断漏れを解消するように切断処理する。
【０００８】
従って、本第１発明によれば、先行回転刈り刃の起風部によって風を発生させながら草や芝を切断処理するものでありながら、先行回転刈り刃からの草や芝が上昇風によって起立した状態になって後行回転刈り刃によって切断処理されて、全体としては切断漏れが発生しにくいとともに刈高さがよく揃った仕上がりによい刈り込み作業を行なうことができる。
【発明を実施するための最良の形態】
【０００９】
以下、本発明の実施例を図面に基づいて説明する。
図１に示すように、左右一対の操向操作及び駆動自在な前車輪１と、左右一対の駆動自在な後車輪２とによって自走するように構成され、かつ、車体前部に位置したエンジン３を有した原動部、車体後部に位置した運転座席４を有した運転部が備えられた自走車体の車体フレーム５の前後輪１，２の間に、リンク機構６を介して草刈り装置１０を連結するとともに、エンジン３の駆動力が車体後部に位置する伝動装置７から回転軸８を介して草刈り装置１０に伝達されるように構成して、乗用型の草刈り機を構成してある。
【００１０】
この草刈り機は、草や芝の刈り込み作業を行なうものであり、リンク機構６に連動された昇降シリンダ（図示せず）を伸縮操作すると、この昇降シリンダがリンク機構６を車体フレーム５に対して上下に揺動操作することにより、草刈り装置１０を接地ゲージ輪１１が地面上に接地した下降作業状態と、接地ゲージ輪１１が地面上から上昇した上昇非作業状態とに昇降操作する。草刈り装置１０を下降作業状態にして自走車体を走行させると、草刈り装置１０は、図２に示す如く刈り刃ハウジング１２の内部に車体横方向に並んで位置する複数の駆動回動自在な刈り刃装置２０によって草や芝を刈り込み処理し、切断された刈り草や刈り芝を各刈り刃装置２０の回動によって発生した風によって刈りハウジング１２の外部に排出していく。
【００１１】
図２に示すように、刈り草装置１０の前記各刈り刃装置２０は、刈り刃ハウジング１２の内部に車体上下向きの軸芯まわりで駆動回動自在に位置する刈り刃駆動軸１３の下端部に中間部が一体回動自在に支持された一枚の先行ブレード２１の一端側と他端側とで成る一対のブレード形の先行回転刈り刃２２、及び、前記刈り刃駆動軸１３の下端部に中間部が一体回動自在に支持された一枚の後行ブレード２６の一端側と他端側とで成る一対のブレード形の後行回転刈り刃２７を備えて構成してある。
【００１２】
図２，３に示すように、各先行回転刈り刃２２の先端側に、回転刈り刃回転方向前側に向かった刃先を有した切断刃２３、この切断刃２３よりも回転刈り刃回転方向後側に位置する起風部２４を設けてある。各起風部２４は、先行ブレード２１の端部に設けた舌片部を、先行回転刈り刃２２の回転軸芯としての刈り刃駆動軸１３の回転軸芯Ｘに直交する方向視で回転刈り刃回転方向後側に至るほど高い配置高さに位置した湾曲状態に曲げ成形することによって構成してある。
【００１３】
図３に明示するように、各後行回転刈り刃２７の先端側に、回転刈り刃回転方向前側に向かった刃先２８ａを有した切断刃２８を設けてある。
【００１４】
前記先行ブレード２１と、前記後行ブレード２６とは、図２，３，５の如き配置関係になった状態で刈り刃駆動軸１３に支持されている。
すなわち、後行ブレード２６の中間部が先行ブレード２１の中間部の上面側に重なって接触した配置関係になっている。また、一方の後行回転刈り刃２７が一方の先行回転刈り刃２２の刈り刃回転方向後側に位置し、他方の後行回転刈り刃２７が、他方の先行回転刈り刃２２の刈り刃回転方向後側に位置した配置関係になっている。さらに、一方の後行回転刈り刃２７の刃先２８ａが、刈り刃回転軸芯Ｘに直交する方向視で一方の先行回転刈り刃２２の起風部２４の下方のこの起風部２４の後端２４ａよりも回転刈り刃回転方向前側に位置し、他方の後行回転刈り刃２７の刃先２８ａが、刈り刃回転軸芯Ｘに直交する方向視で他方の先行回転刈り刃２２の起風部２４の下方のこの起風部２４の後端２４ａよりも回転刈り刃回転方向前側に位置にした配置関係になっている。
先行ブレード２１の上面側に突設された一対の位置決め突起２５が後行ブレード２６に位置決め作用しており、先行ブレード２１と後行ブレード２６は、相対回転しないように互いに回り止めされた状態になっている
【００１５】
これにより、草刈り装置１０の各刈り刃装置２０は、互いに寄り合った一方の先行回転刈り刃２２と一方の後行回転刈り刃２７とを有した刈り刃対と、互いに寄り合った他方の先行回転刈り刃２２と他方の後行回転刈り刃２７とを有した刈り刃対とを備えており、各刈り刃対における先行回転刈り刃２２が後行回転刈り刃２７に対して先行して回転する状態で先行回転刈り刃２２と後行回転刈り刃２７が回転軸芯Ｘまわりで一体回転するように各刈り刃対が刈り刃駆動軸１３によって回転駆動され、各刈り刃対において、草や芝を先行回転刈り刃２２の切断刃２３によって切断処理する。このとき、図４に示す如く先行回転刈り刃２２の前側から先行回転刈り刃２２の下側を通る下降風ａのために草や芝が倒れ気味になって切断漏れなどの切断不良が発生した草や芝が発生しても、先行回転刈り刃２２が移動して先行回転刈り刃２２の後側に位置した草や芝を、図５に示す如く先行回転刈り刃２２の下方から起風部２４の後側に流動して上昇流動する上昇風によって起立状態にしながら後行回転刈り刃２７の切断刃２８によって再度、切断処理する。そして、切断された刈り草や刈り芝を、各刈り刃対における先行回転刈り刃２２の起風部２４によって発生させた風によって刈り刃ハウジング１２から外部に排出する。
【図面の簡単な説明】
【００１６】
【図１】乗用型草刈り機全体の側面図
【図２】草刈り装置の横断平面図
【図３】刈り刃装置の斜視図
【図４】回転刈り刃の回りの風の流れを示す説明図
【図５】刈り刃装置による切断作用を示す説明図
【符号の説明】
【００１７】
２２        先行回転刈り刃
２４        起風部
２４ａ      起風部の後端
２７        後行回転刈り刃
２８ａ      後行回転刈り刃の刃先
Ｘ          刈り刃回転軸芯
【図１】
2006262755.tif 000003
【図２】
2006262755.tif 000004
【図３】
2006262755.tif 000005
【図４】
2006262755.tif 000006
【図５】
2006262755.tif 000007